(57)【特許請求の範囲】
【請求項１】
ネットワークに直接あるいは間接に接続されている複数のアンプの遠隔監視装置であって、
前記複数のアンプには、複数の観点の異なるグループ毎に、各グループ内における当該アンプの配置を表すグループナンバが定められており、該複数のグループに対応する複数のグループナンバを各アンプから収集する収集手段と、
前記複数のグループのうちツリー表示を行う１のグループを選択するツリー選択手段と、
前記収集手段により収集されたグループナンバの内の前記ツリー選択手段により選択された１のグループに対応するグループナンバに従って前記複数のアンプのツリー表示を表示手段に表示させる表示制御手段と、
を備えることを特徴とするオーディオアンプの遠隔監視装置。
【請求項２】
前記表示手段に表示されたツリー表示において、いずれかの前記アンプが選択された際に、選択された前記アンプの動作状態を示す状態情報を前記収集手段が取得し、取得した状態情報に従って選択された前記アンプの動作状態を前記表示手段に表示するようにしたことを特徴とする請求項１記載のオーディオアンプの遠隔監視装置。
【請求項３】
コンピュータを、
ネットワークに直接あるいは間接に接続されている複数のアンプにおける、複数の観点の異なるグループ毎に定められた各グループ内における当該アンプの配置を表すグループナンバであって、該複数のグループに対応する複数のグループナンバを収集する収集手段、
前記複数のグループのうちツリー表示を行う１のグループを選択するツリー選択手段、
前記収集手段により収集されたグループナンバの内の前記ツリー選択手段により選択された１のグループに対応するグループナンバに従って前記複数のアンプのツリー表示を表示手段に表示させる表示制御手段、
として機能させるようにしたことを特徴とするオーディオアンプの遠隔監視用プログラム。
【発明の詳細な説明】
【技術分野】
【０００１】
この発明は、ネットワークに接続されている複数のオーディオアンプの動作状態を監視する遠隔監視装置および遠隔監視用プログラムに関する。
【背景技術】
【０００２】
従来、コンサートホールや劇場などの音響拡声装置（ＰＡ：Public Address）や音楽製作などに使用されるプロ用のオーディオシステムがある。このオーディオシステムにおいては多くのオーディオアンプが使用される場合が多くされており、オーディオシステム内の各オーディオアンプが正常に動作していることを確認するために、各オーディオアンプを監視装置で監視するようにしている。この場合、オーディオシステムをネットワーク化して監視対象であるオーディオアンプをネットワークに接続し、監視装置が、ネットワークを介して各オーディオアンプからオーディオアンプの動作状態を表す状態情報を吸い上げて表示装置に表示するようにしている。
【発明の開示】
【発明が解決しようとする課題】
【０００３】
従来の監視装置においては、ネットワークに存在しているすべてのオーディオアンプのリストを表示したり、オーディオアンプをツリー表示するようにされている。監視装置では、表示装置に表示されたオーディオアンプのリスト表示やツリー表示から、監視したいオーディオアンプを選択することにより、選択されたオーディオアンプの状態情報を表示装置に表示させることにより、当該オーディオアンプの動作状態を把握するようにしている。
しかしながら、表示装置にオーディオアンプのリストやツリーが表示される際に、デバイスを特定するデバイスＩＤ（Identification）の番号順にオーディオアンプが表示されるため、各オーディオアンプのコンサートホールや劇場内の配置場所や役割、および、当該オーディオアンプのオーディオ出力を放音しているスピーカの配置場所や役割がわかりにくく、監視したいオーディオアンプを表示手段に表示されたリストやツリーからみつけだすのに手間がかかるという問題点があった。特に、コンサートホールや劇場などのオーディオシステムにおいては、数十台から数百台のオーディオアンプを使用することもあることから、監視したいオーディオアンプを探し出すのは困難となる。
【０００４】
そこで、本発明は、監視したいオーディオアンプを容易に探し出すことのできる表示を行うことができるオーディオアンプの遠隔監視装置および遠隔監視用プログラムを提供することを目的としている。
【課題を解決するための手段】
【０００５】
上記目的を達成するために、本発明のオーディオアンプの遠隔監視装置は、各々のアンプが属するグループを表す情報であるグループナンバを各アンプから収集して、収集されたグループナンバに従ってネットワークに直接あるいは間接に接続されている複数のアンプのツリー表示を表示手段に表示させることを最も主要な特徴としている。
【発明の効果】
【０００６】
本発明によれば、各々のアンプが属するグループを表す情報であるグループナンバを各アンプから収集して、収集されたグループナンバに従ってネットワークに直接あるいは間接に接続されている複数のアンプのツリー表示を表示手段に表示させており、グループはアンプが積まれているラック、オーディオアンプに接続されているスピーカの配置場所別や役割別の観点の異なる複数のグループとすることができ、表示手段にいずれかのグループの観点に従うツリー表示がなされることから、容易に監視したいオーディオアンプを探し出すことができるようになる。
【発明を実施するための最良の形態】
【０００７】
本発明の実施例にかかる遠隔監視装置を備えるオーディオシステム１Ａの構成を示すブロック図を図１に示す。
図１に示すオーディオシステム１Ａは、遠隔監視装置として機能するパーソナルコンピュータ（ＰＣ）１が接続されているネットワーク４を備えている。ネットワーク４は、一般的に用いられているイーサネットにより構築されている。ＰＣ１には本発明の実施例にかかる遠隔監視用プログラムがインストールされており、ＰＣ１において遠隔監視用プログラムを起動することにより、オーディオシステム１Ａにおける全てのアンプを監視対象としてネットワーク４を介して監視することができるようにされている。この場合、オーディオシステム１Ａには、オーディオアンプである新アンプ６ａ、６ｂと旧アンプ７ａ、７ｂとが設けられている。新アンプ６ａ、６ｂはネットワーク４に接続できるインタフェースを備え、ネットワーク４に直接接続されている。一方、旧アンプ７ａ、７ｂはネットワーク４に接続できるインタフェースを備えておらず、ネットワーク４に接続することができない。そこで、旧アンプ７ａ、７ｂとネットワーク４との間にＡＣＤ５を接続して、旧アンプ７ａ、７ｂをネットワーク４に接続する仲介をＡＣＤ５により行うようにしている。これにより、オーディオシステム１Ａにおける全てのアンプである新アンプ６ａ、６ｂおよび旧アンプ７ａ、７ｂを、ＰＣ１がネットワーク４を介して監視することができるようになる。
【０００８】
以下に、ＰＣ１がネットワーク４を介してオーディオシステム１Ａにおける全てのアンプを監視する詳細を説明する。
ネットワーク４は、コンピュータネットワークの規格の一つであって一般的に用いられているイーサネット (Ethernet) により構築されており、イーサネットはＯＳＩ参照モデルの下位二つの層である物理層およびデータリンク層で規定されている。なお、ネットワーク４を、イーサネットとＴＣＰ／ＩＰプロトコルを組合せたＬＡＮ（Local Area Network）で構築することもできる。このネットワーク４には、マイク３ａ、３ｂ、３ｃ、・・・、３ｎからのオーディオ信号をミキシングして出力するミキサ（ＭＩＸ）２と、ネットワーク４に接続するインタフェース（イーサネット端子）を備えていない旧アンプ７ａ、７ｂをネットワーク４に接続するためのデバイスであるＡＣＤ（Amp Control Device）５と、ネットワーク４に接続できるイーサネット端子を備えている新アンプ６ａ、６ｂとがそれぞれイーサネットケーブルを介して接続されている。
【０００９】
旧アンプ７ａ、７ｂはイーサネット端子は備えていないものの、シリアルポートを備えていることから、旧アンプ７ａ，７ｂとＡＣＤ５とは双方のシリアルポートに接続されたシリアルケーブルを介して通信を行うことができる。すなわち、ＡＣＤ５はシリアル−イーサネット変換を行うことで、旧アンプ７ａ，７ｂをネットワーク４に接続している。この場合、ネットワーク４から見ると旧アンプ７ａ、７ｂが見かけ上ネットワーク４に接続されているように見える。なお、ＭＩＸ２にはマイク３ａ〜３ｎがオーディオケーブルを介して接続されている。また、旧アンプ７ａにはスピーカ（ＳＰ）８ａ、８ｂがオーディオケーブルを介して接続されており、旧アンプ７ｂにはスピーカ（ＳＰ）８ｃ、８ｄがオーディオケーブルを介して接続されている。さらに、新アンプ６ａにはスピーカ（ＳＰ）８ｅ、８ｆがオーディオケーブルを介して接続されており、新アンプ６ｂにはスピーカ（ＳＰ）８ｇ、８ｈがオーディオケーブルを介して接続されている。図１に示すオーディオシステム１Ａにおいては各ブロックがデバイスとなり、これらのデバイスはコンサートホールや劇場内に分散して配置される。
【００１０】
オーディオシステム１Ａにおけるデバイス間においては、オーディオケーブルを介してオーディオ信号が伝達されるようにされ、ネットワーク４を介して制御情報が伝達されるようにされている。すなわち、図示していないがＭＩＸ４と新アンプ６ａ、６ｂおよび旧アンプ７ａ、７ｂとはオーディオケーブルを介して接続されている。これらのオーディオケーブルを介してマイク３ａ〜３ｎからのオーディオ信号がＭＩＸ２に入力されてミキシングされ、ミキシング出力がそれぞれ新アンプ６ａ、６ｂおよび旧アンプ７ａ、７ｂにＭＩＸ２から供給される。そして、新アンプ６ａ、６ｂおよび旧アンプ７ａ、７ｂから出力されるオーディオ信号がスピーカ８ａ〜８ｈにオーディオケーブルを介して供給されて放音されるようになされている。
【００１１】
ＰＣ１，ＭＩＸ２，ＡＣＤ５および新アンプ６ａ、６ｂが接続されるネットワーク４はイーサネットのハブであり、ＰＣ１、ＭＩＸ２、ＡＣＤ５、新アンプ６ａ、新アンプ６ｂにはそれぞれ一意のＩＰアドレスがネットワーク４により設定されている。ネットワーク４では制御情報が伝達され、ＰＣ１とＡＣＤ５および新アンプ６ａ、６ｂとの間で制御情報が授受される。授受される制御情報としては、イーサネット通信を行うに必要なＡＣＤ５および新アンプ６ａ、６ｂのデバイスＩＤ（Identification）およびデバイス名の情報と、デバイスが属するグループのグループナンバの情報およびデバイスの動作状態を表す状態情報とされる。ＰＣ１には、遠隔監視用プログラムがインストールされており、ＰＣ１において遠隔監視用プログラムが起動されると、ＰＣ１はネットワーク４に接続されているデバイスであるＡＣＤ５と新アンプ６ａ、６ｂからそれぞれデバイス情報を取得する要求をネットワーク４を介して行う。この要求に従ってネットワーク４を介して各デバイスから受け取ったデバイス情報に基づいて、ＰＣ１はプロジェクトファイルを作成する。この場合、ＡＣＤ５のデバイス情報には、旧アンプ７ａ、７ｂとシリアル通信を行うことにより取得した旧アンプ７ａ、７ｂのデバイス情報が含まれている。プロジェクトファイルは、デバイス情報とグループ名とから構成される。グループは、観点を異ならせたアンプ群の複数のグループでありアンプの配置を観点としたグループやアンプの役割を観点としたグループ、および、グループの観点をユーザが定義するユーザ定義グループがある。アンプの配置を観点としたグループとしては、アンプが積まれているラックのラックグループがあり、アンプの役割を観点としたグループとしては、アンプに接続されているスピーカの役割別のフィードストラクチャグループがある。これらのグループのグループ名はＰＣ１において設定することができる。
【００１２】
このように、いくつかの観点を異ならせたアンプ群の複数のグループとするのは、図１に示すオーディオシステム１Ａでは合計４台のアンプしか備えていないが、実際のコンサートホールや演劇場などのオーディオシステムにおいては、数十台から数百台のオーディオアンプを使用することもあることから、観点を異ならせることで目的とするアンプに到達できるようにするためである。
そして、ＰＣ１において遠隔監視用プログラムが起動されてプロジェクトファイルが作成されると、ネットワーク４に存在する監視対象である全てのアンプがツリー表示されるようになるが、デフォルトのグループあるいは選択されたグループの観点でグループ化されたアンプ群がツリー表示される。表示される際には、監視対象である全てのアンプにおける選択されたグループのグループナンバがプロジェクトファイルからＰＣ１により取り出されて、グループナンバに従って監視対象であるアンプ群がツリー表示されるようになる。以下に、グループの観点に従って表示されるツリー表示について詳細に説明する。
【００１３】
まず、ＰＣ１の構成を示すブロック図を図２に示す。
図２において、ＣＰＵ（Central Processing Unit）１０はＰＣ１の全体の動作を制御すると共に、遠隔監視用プログラムや制御用プログラム等の動作ソフトウェアを実行している。ＲＯＭ（Read Only Memory）１１には、ＣＰＵ１０が実行する遠隔監視用プログラムや制御用プログラム等の動作ソフトウェアが格納されており、ＲＡＭ（Random Access Memory）１２には、ＣＰＵ１０のワークエリアや各デバイスから取得した遠隔監視用のデバイス情報や状態情報および作成されたプロジェクトファイルを記憶する記憶エリアが設定されている。このＲＯＭ１１をフラッシュメモリ等の書き換え可能なＲＯＭとすることで、動作ソフトウェアの書き換えを可能とすることができ、遠隔監視用プログラムや動作ソフトウェアのバージョンアップを容易に行うことができる。なお、図示されていないがハードディスク装置等の大容量記憶装置を備えており大容量記憶装置にオペレーションシステム等の基本ソフトウェアやアプリケーション等のソフトウェアが記憶されている。
【００１４】
表示制御回路１４は、起動されたアプリケーションに応じたアプリケーション画面を液晶表示器（ＬＣＤ）等の表示器１３に表示させており、遠隔監視用プログラムが起動された際には監視用画面が表示器１３に表示される。操作検出回路１６は、ＰＣ１に設けられているキーボードやマウス等の操作子１５を走査することによって操作子１５のイベントを検出して、イベントのあった操作子１５に対応するイベント出力を出力している。ネットワーク通信インターフェース（Ｉ／Ｆ）１７は、イーサネットのインタフェースでありネットワーク通信ケーブル（イーサネットケーブル）を介してネットワーク４に接続され、ネットワーク４に存在するデバイスと通信を行うことにより、ＰＣ１はデバイスからデバイス情報や状態情報を授受することができる。このインタフェース１７を介してＰＣ１と各デバイスとが論理的に接続される。これらの各部はバス１０ａに接続されて、バス１０ａを介してデータの授受を行っている。
【００１５】
次に、新アンプ６の構成を示すブロック図を図３に示す。
図３において、ＣＰＵ２０は新アンプ６の全体の動作を制御すると共に、アンプ制御用プログラム等の動作ソフトウェアを実行している。ＲＯＭ２１には、ＣＰＵ２０が実行するアンプ制御用プログラム等の動作ソフトウェアが格納されており、ＲＡＭ２２には、ＣＰＵ２０のワークエリアや自機のデバイス情報や状態情報等のデータを記憶する記憶エリアが設定されている。このＲＯＭ２１をフラッシュメモリ等の書き換え可能なＲＯＭとすることで、動作ソフトウェアの書き換えを可能とすることができ、動作ソフトウェアのバージョンアップを容易に行うことができる。表示制御回路２４は、入力レベルおよび出力レベルやアンプ設定画面等を液晶表示器（ＬＣＤ）等の表示器２３に表示させている。操作検出回路２６は、新アンプ６に設けられているアッテネータ等の操作子２５を走査することによって操作子２５のイベントを検出して、イベントのあった操作子２５に対応するイベント出力を出力している。
【００１６】
ネットワーク通信Ｉ／Ｆ２７は、イーサネットのインタフェースでありネットワーク通信ケーブル（イーサネットケーブル）を介してネットワーク４に接続される。このインタフェース２７を介してＰＣ１と論理的に接続される。オーディオ入力インタフェース（Ｉ／Ｆ）２８ａは、オーディオ信号を入力するインタフェースであり、オーディオ入力ケーブルを介してＭＩＸ２に接続されて、ＭＩＸ２からオーディオ信号が入力されるようになる。オーディオ出力インタフェース（Ｉ／Ｆ）２８ｂは、新アンプ６により増幅されたオーディオ信号をスピーカに出力するインタフェースであり、オーディオ出力ケーブルを介してスピーカに接続されて、スピーカからオーディオ信号が放音されるようになる。ＤＳＰ（Digital Signal Processor）２９は、ＣＰＵ２０の制御の基で入力されたオーディオ信号を増幅したり周波数帯域を分割する信号処理を行っている。また、スピーカのインピーダンス値をモニタしており、インピーダンス値によりスピーカの動作状況を確認することができる。これらの各部はバス２０ａに接続されて、バス２０ａを介してデータの授受を行っている。
【００１７】
次に、ＡＣＤ５の構成を示すブロック図を図４に示す。
図４において、ＣＰＵ３０はＡＣＤ５の全体の動作を制御すると共に、シリアル−イーサネット変換用プログラム等の動作ソフトウェアを実行している。ＲＯＭ３１には、ＣＰＵ３０が実行する変換用プログラム等の動作ソフトウェアが格納されており、ＲＡＭ３２には、ＣＰＵ３０のワークエリアや旧アンプ７ａ、７ｂから取得したデバイス情報や状態情報等のデータを記憶する記憶エリアが設定されている。このＲＯＭ３１をフラッシュメモリ等の書き換え可能なＲＯＭとすることで、動作ソフトウェアの書き換えを可能とすることができ、動作ソフトウェアのバージョンアップを容易に行うことができる。表示制御回路３４は、変換制御・設定画面を液晶表示器（ＬＣＤ）等の表示器３３に表示させている。操作検出回路３６は、ＡＣＤ５に設けられている操作子３５を走査することによって操作子３５のイベントを検出して、イベントのあった操作子３５に対応するイベント出力を出力している。
【００１８】
ネットワーク通信Ｉ／Ｆ３７は、イーサネットのインタフェースでありネットワーク通信ケーブル（イーサネットケーブル）を介してネットワーク４に接続される。このインタフェース３７を介してＰＣ１と論理的に接続される。デバイス通信インタフェース（Ｉ／Ｆ）３８は、シリアル通信のインタフェースでありイーサネット端子を備えていない旧アンプ７ａ、７ｂとデバイス通信ケーブル（シリアルケーブル）を介して旧アンプ７ａ、７ｂに接続される。これらの各部はバス３０ａに接続されて、バス３０ａを介してデータの授受を行っている。
【００１９】
次に、遠隔監視用プログラムが起動された際にＰＣ１において作成されるプロジェクトファイルのデータ構造を図５に示す。図５に示すプロジェクトファイルは１ネットワーク分のプロジェクトファイルとされる。
プロジェクトファイルは、図５に示すようにネットワーク４に接続されている新アンプ６ａ、６ｂとＡＣＤ５とから取得したデバイス情報と、グループ名とから構成される。すなわち、図５に示すようにデバイス情報は「新ＡＭＰ１（新アンプ６ａ）」「新ＡＭＰ２（新アンプ６ｂ）」および「ＡＣＤ」からなり、グループ名は「ｒａｃｋ」「ｆｅｅｄｓｔ」「ｕｄ１」「ｕｄ２」とされている。グループ「ｒａｃｋ」は観点をアンプが積まれているラックとしたグループであり、グループ「ｆｅｅｄｓｔ」は観点をアンプに接続されているスピーカのエリア別・役割別とされるフィードストラクチャとしたグループである。また、グループ「ｕｄ１」「ｕｄ２」は観点をユーザが定義したグループである。この場合、監視対象とされるアンプが第３階層に位置するグループに属している場合は、グループ名は［第１階層の名前］と［第２階層の名前］と［第３階層の名前］とから構成される。
【００２０】
次に、プロジェクトファイルにおける「新ＡＭＰ１（新アンプ６ａ）」「新ＡＭＰ２（新アンプ６ｂ）」のデバイス情報のデータ構造を図６に示す。新ＡＭＰ１と新ＡＭＰ２のデバイス情報のデータ構造は同一とされていることから、新アンプ６ａ、６ｂを新アンプ６と表記し図６に新アンプ６の１台分のデバイス情報を示すものとする。なお、このデバイス情報は新アンプ６ａ、６ｂにも記録されている。
新アンプ６のデバイス情報には、図６に示すようにデバイス毎に割り当てられるユニークな固定の識別番号であるＭＡＣアドレスと、ＩＰ（Internet Protocol）プロトコルで使用するための３２ビットのアドレス情報であるＩＰアドレスが含まれている。データの授受を行う際に、ＭＡＣアドレスとＩＰアドレスにより送り先のデバイスを指定することができる。また、デバイス情報には、新アンプ６が有している固定とされる出力ｃｈ数と新アンプ６の機種を示すデバイスＩＤ、デバイス名、新アンプ６が属しているエリアのエリアＩＤ、そのエリアのエリア名およびグループナンバが含まれている。新アンプ６が２ｃｈを備えている場合のグループナンバの例が図６に示されており、グループナンバは、グループ「ｒａｃｋ」、グループ「ｆｅｅｄｓｔ（ｃｈ１）」、グループ「ｆｅｅｄｓｔ（ｃｈ２）」、グループ「ｕｄ１（ｃｈ１）」、グループ「ｕｄ１（ｃｈ２）」、グループ「ｕｄ２（ｃｈ１）」、グループ「ｕｄ２（ｃｈ２）」のそれぞれのグループナンバから構成されている。この場合、新アンプ６が第３階層に位置するグループに属している場合のグループナンバは、［第１階層の番号］と［第２階層の番号］と［第３階層の番号］とから構成される。
【００２１】
次に、ＡＣＤ５に記録されているデバイス情報のデータ構造を図７に示す。図７に示すデバイス情報は１台のＡＣＤ５のデバイス情報とされる。
ＡＣＤ５のデバイス情報には、図７に示すようにＭＡＣアドレス、ＩＰアドレス、デバイスＩＤ、デバイス名、エリアＩＤ、エリア名およびＡＣＤ５に接続されている旧アンプ７のデバイス情報から構成されている。この場合、図１に示すオーディオシステム１Ａの構成とされている場合は、デバイス情報は「旧ＡＭＰ１（旧アンプ７ａ）」と「旧ＡＭＰ２（旧アンプ７ｂ）」のデバイス情報とされる。旧ＡＭＰ１と旧ＡＭＰ２のデバイス情報のデータ構造は同一とされており、旧ＡＭＰ１のデバイス情報のデータ構造が図７に示されている。
【００２２】
旧ＡＭＰ１のデバイス情報は、旧アンプ７ａが有している固定とされる出力ｃｈ数と旧アンプ７ａの機種を示すデバイスＩＤ、デバイス名、旧アンプ７ａが属しているエリアのエリアＩＤ、そのエリアのエリア名およびグループナンバが含まれている。旧アンプ７ａが２ｃｈを備えている場合のグループナンバの例が図７に示されており、グループナンバは、グループ「ｒａｃｋ」、グループ「ｆｅｅｄｓｔ（ｃｈ１）」、グループ「ｆｅｅｄｓｔ（ｃｈ２）」、グループ「ｕｄ１（ｃｈ１）」、グループ「ｕｄ１（ｃｈ２）」、グループ「ｕｄ２（ｃｈ１）」、グループ「ｕｄ２（ｃｈ２）」のそれぞれのグループナンバから構成されている。この場合、旧アンプ７ａがグループにおいて第３階層に位置している場合のグループナンバは、［第１階層の番号］と［第２階層の番号］と［第３階層の番号］とから構成される。
【００２３】
次に、ＰＣ１が実行するラックツリー表示処理のフローチャートを図８に示す。
ラックツリー表示処理は、ＰＣ１の表示器１３に表示された監視用画面においてアンプの配置を観点とするグループ「ｒａｃｋ」でツリー表示を行うラックツリー表示が選択された際に起動され、ステップＳ１０にてプロジェクトファイルからラックツリーの表示を行うデータが読み出される。すなわち、プロジェクトファイルにおけるデバイス情報の内の「新ＡＭＰ１（新アンプ６ａ）」「新ＡＭＰ２（新アンプ６ｂ）」のデバイス情報から「デバイスＩＤ」、「デバイス名」、「エリアＩＤ」、「エリア名」、「グループナンバ」の情報を取り出す。ただし、グループナンバはグループ「ｒａｃｋ」のグループナンバが取り出され、取り出されたグループナンバは当該アンプがどのラックに属しているかを示している。また、デバイス情報の内の「ＡＣＤ」のデバイス情報から「デバイスＩＤ」、「デバイス名」、「エリアＩＤ」、「エリア名」、「デバイス情報」の情報を取り出す。このデバイス情報は「旧ＡＭＰ１（旧アンプ７ａ）」と「旧ＡＭＰ２（旧アンプ７ｂ）」のデバイス情報とされ、「旧ＡＭＰ１（旧アンプ７ａ）」と「旧ＡＭＰ２（旧アンプ７ｂ）」のデバイス情報から「デバイスＩＤ」、「デバイス名」、「グループナンバ」の情報を取り出す。ただし、グループナンバはグループ「ｒａｃｋ」のグループナンバが取り出され、取り出されたグループナンバから当該アンプがどのラックに属しているかが分かる。
【００２４】
次いで、ステップＳ１１にてラックツリーが作成される。このステップでは、ステップＳ１０において取り出された情報からエリアＩＤを参照して、同じエリアＩＤを有している同じエリアに属するアンプ群にまとめ、各エリアに属しているアンプ各々のグループナンバを参照し、第１階層のグループ毎のアンプ群にまとめ、さらに次の階層のグループのアンプ群にまとめることを最終の階層であるラックのグループまで行い、各ラック毎に属するアンプをデバイス名順で並べることによりラックツリーが作成される。そして、ステップＳ１２にて表示器１３に作成されたラックツリーが表示されてラックツリー表示処理は終了する。ラックツリーを表示する際には、取り出した「グループナンバ」をプロジェクトファイルから読み出したグループナンバに対応するグループ名に変換して各階層のグループ名を表示する。
【００２５】
ラックツリー表示処理が行われることにより表示器１３に表示されたラックツリーの表示例を図９に示す。
図９に示すように監視用画面４０はツリー表示部４２と状態表示部４３との表示部と、ツリー表示部４２に表示するツリータイプを選択する複数のタブ４１とから構成される。図９においては、ツリータイプとして「Ｒａｃｋ」のタブ４１が選択されて上述したラックツリー表示処理が実行され、ツリー表示部４２にラックツリーが表示されている。ツリー表示部４２には、エリア名「Ａｒｅａ−１」のエリアに属するアンプ群がツリー表示されており、ツリー表示における第１階層の２グループのグループ名が「００１  ＦＯＨ」および「Ｍｏｎｉｔｏｒ」とされている。また、グループ「００１  ＦＯＨ」を展開した第２階層の３グループのグループ名が「Ｓｔａｇｅ  Ｌ」「Ｓｔａｇｅ  Ｒ」「Ｏｐｅｒａｔｏｒ」とされている。ここで、「ＦＯＨ」とはFront Of Houseの略であり舞台等の前に位置するオペレータ室を意味していると共に、「Ｓｔａｇｅ  Ｌ」「Ｓｔａｇｅ  Ｒ」は舞台の左と右を意味しており、グループが配置別のグループとされていることが分かる。
【００２６】
さらに、グループ「Ｓｔａｇｅ  Ｌ」を展開した第３階層の２グループのグループ名が「００１  Ｒａｃｋ  ＃１」「００２  Ｒａｃｋ  ＃２」とされている。そして、グループ「００１  Ｒａｃｋ  ＃１」が展開されてグループ「００１  Ｒａｃｋ  ＃１」に「００１：００１  Ｔｘ６ｎ」「００１：００２  Ｔｘ６ｎ」の２台のアンプが属していることが表示されている。すなわち、「００１  Ｒａｃｋ  ＃１」「００２  Ｒａｃｋ  ＃２」はラック名であり、ラック「００１  Ｒａｃｋ  ＃１」に「００１：００１  Ｔｘ６ｎ」「００１：００２  Ｔｘ６ｎ」の２台のアンプが積まれていることが分かる。なお、「００１：００１  Ｔｘ６ｎ」における先頭の「００１」が当該アンプのデバイスＩＤであり、「００１  Ｔｘ６ｎ」がデバイス名である。また、ラックツリー表示では、アンプが有するチャンネル毎の表示は行われない。このように、ラックツリー表示では各アンプを属するラックの配置別毎のグループで表示することができることから、上位の階層のグループから下位の階層のグループをたどっていくことにより、容易に目的とする監視対象のアンプを探し出すことができる。探し出したアンプを図９に示すように選択（白抜きで表示）すると選択された「００１：００１  Ｔｘ６ｎ」のアンプの状態表示が状態表示部４３に表示されるようになる。状態表示部４３に表示される項目としては、選択したアンプのパワースイッチ、入力レベルおよび出力レベル、ヒートシンクの温度等とされる。これらの項目をモニタリングすることにより当該アンプの動作状態を確認することができる。なお、アンプが複数チャンネルを有しているときは、表示される項目において平均値、最大値あるいは最小値が表示される。なお、図９に示すラックツリー表示において、「□」の中に「+」が記入されている記号の上でクリックすると、その下の階層に展開されてツリー表示されるようになる。
【００２７】
ここで、グループナンバの具体例について図９に示すラックツリー表示を参照して説明すると、ツリー表示における第１階層のグループ「００１  ＦＯＨ」のグループナンバは例えば「１」、グループ「Ｍｏｎｉｔｏｒ」のグループナンバは「２」とされる。そして、グループ「００１  ＦＯＨ」を展開した第２階層のグループ「Ｓｔａｇｅ  Ｌ」のグループナンバは「１−１」、グループ「Ｓｔａｇｅ  Ｒ」のグループナンバは「１−２」、グループ「Ｏｐｅｒａｔｏｒ」のグループナンバは「１−３」とされる。さらに、グループ「Ｓｔａｇｅ  Ｌ」を展開した第３階層のグループ「００１  Ｒａｃｋ  ＃１」のグループナンバは「１−１−１」、グループ「００２  Ｒａｃｋ  ＃２」のグループナンバは「１−１−２」とされる。ツリー表示部４２に表示される際には、プロジェクトファイルにおけるグループ名のリストを参照して各グループナンバが上記グループ名に変換されて表示されるようになる。
【００２８】
ところで、ラックツリー表示に限らず、監視用画面４０のツリー表示部４２にツリー表示されたアンプのいずれかを選択すると、上記したように選択されたアンプの状態表示が状態表示部４３に表示されるようになる。この場合、ＰＣ１は選択されたアンプに状態情報を要求し、アンプから状態情報を取得して状態表示部４３に表示するようにしている。この処理を行う際にＰＣ１で実行される状態情報の表示処理のフローチャートを図１０に示す。また、選択されたアンプが新アンプ６ａあるいは新アンプ６ｂの場合に選択された新アンプで実行される状態情報の送信処理のフローチャートを図１１に示し、選択されたアンプが旧アンプ７ａあるいは旧アンプ７ｂの場合にＡＣＤ５で実行される状態情報の送信処理のフローチャートを図１２に示す。
【００２９】
まず、図１１に示す状態情報の送信処理を説明するが、この状態情報の送信処理は、ＰＣ１から新アンプ６ａあるいは新アンプ６ｂに状態情報が要求された際に要求された新アンプ６ａあるいは新アンプ６ｂで起動される。起動されると、ステップＳ３０にて自機に記録されている状態情報をＰＣ１に送信し、状態情報の送信処理は終了する。
また、図１２に示す状態情報の送信処理は、ＰＣ１から旧アンプ７ａあるいは旧アンプ７ｂに状態情報が要求された際にＡＣＤ５で起動される。起動されると、ステップＳ４０にて要求された旧アンプ７ａあるいは旧アンプ７ｂから記録されている状態情報を取得する。次いで、ステップＳ４１にて取得した要求されたアンプの状態情報をＰＣ１に送信し、状態情報の送信処理は終了する。
【００３０】
図１０に示す状態情報の表示処理は、監視用画面４０のツリー表示部４２にツリー表示されたアンプのいずれかが選択された際に起動され、ステップＳ２０にて選択されたアンプに状態情報の送信を要求する。これにより、図１１あるいは図１２に示す上述した状態情報の送信処理が実行されて、ＰＣ１は選択されたアンプの状態情報を受信する。次いで、受信した状態情報を監視用画面４０の状態表示部４３に表示し、状態情報の表示処理は終了する。
状態表示部４３に表示される項目としては、選択したアンプのパワースイッチ、入力レベルおよび出力レベル、ヒートシンクの温度等に加えて過大入力によるリミッタ動作、出力保護回路の動作や出力負荷（アンプに接続されているスピーカのインピーダンス値）の項目を表示することもできる。これらの項目をモニタリングすることによりアンプの動作状態を確認することができる。また、状態表示部４３においてパワースイッチのオン／オフ操作、アッテネータの設定操作やミュートのオン／オフの操作を行うことができる。
【００３１】
次に、ＰＣ１が実行するフィードストラクチャツリー表示処理のフローチャートを図１３に示す。
フィードストラクチャツリー表示処理は、ＰＣ１の表示器１３に表示された監視用画面４０において「ＦｅｅｄＳｔ．」のタブ４１が選択されてアンプの役割を観点とするグループ「ｆｅｅｄｓｔ」でツリー表示を行う際に起動され、ステップＳ５０にてプロジェクトファイルからフィードストラクチャツリーの表示を行うデータが読み出される。すなわち、プロジェクトファイルにおけるデバイス情報の内の「新ＡＭＰ１（新アンプ６ａ）」「新ＡＭＰ２（新アンプ６ｂ）」のデバイス情報から「デバイスＩＤ」ないし「グループナンバ」の情報を取り出す。ただし、グループナンバはグループ「ｆｅｅｄｓｔ」のグループナンバがチャンネル毎に取り出され、取り出されたグループナンバから当該アンプにどのスピーカが接続されているかが分かる。また、デバイス情報の内の「ＡＣＤ」のデバイス情報から「デバイスＩＤ」ないし「デバイス情報」の情報を取り出す。このデバイス情報は「旧ＡＭＰ１（旧アンプ７ａ）」と「旧ＡＭＰ２（旧アンプ７ｂ）」のデバイス情報とされ、「旧ＡＭＰ１（旧アンプ７ａ）」と「旧ＡＭＰ２（旧アンプ７ｂ）」のデバイス情報から「デバイスＩＤ」ないし「グループナンバ」の情報を取り出す。ただし、グループナンバはグループ「ｆｅｅｄｓｔ」のグループナンバがチャンネル毎に取り出され、取り出されたグループナンバから当該アンプにどのスピーカが接続されているかが分かる。
【００３２】
次いで、ステップＳ５１にてフィードストラクチャツリーが作成される。このステップでは、ステップＳ５０において取り出された情報からエリアＩＤを参照して、同じエリアＩＤを有している同じエリアに属するアンプ群にまとめ、各エリアに属しているアンプ各々のグループナンバを参照し、第１階層のグループ毎のアンプ群にまとめ、さらに次の階層のグループのアンプ群にまとめることを最終の階層まで行い、各最終の階層毎に属するアンプをデバイス名およびチャンネルナンバ順で並べることにより、各スピーカに対応するアンプのチャンネルが表示されるフィードストラクチャツリーが作成される。そして、ステップＳ５２にて表示器１３に作成されたフィードストラクチャツリーが表示されてフィードストラクチャツリー表示処理は終了する。フィードストラクチャツリーを表示する際には、取り出した「グループナンバ」をプロジェクトファイルから読み出したグループナンバに対応するグループ名に変換して各階層のグループを表示する。
【００３３】
次に、フィードストラクチャツリー表示処理が行われることにより表示器１３に表示されたフィードストラクチャツリーの表示例を図１４に示す。
図１４に示す監視用画面４０において、ツリータイプとして「ＦｅｅｄＳｔ．」のタブ４１が選択されて上述したフィードストラクチャツリー表示処理が実行され、ツリー表示部４２にフィードストラクチャツリーが表示されている。ツリー表示部４２には、エリア名「Ａｒｅａ−１」のエリアに属するアンプ群がツリー表示されており、ツリー表示における第１階層の３グループのグループ名が「００１  ＦＯＨ  Ｌｅｆｔ」「００２  ＦＯＨ  Ｒｉｇｈｔ」および「００３  Ｄｅｌａｙ  Ｌｅｆｔ」とされている。そして、グループ「００１  ＦＯＨ  Ｌｅｆｔ」を展開した第２階層の３グループのグループ名がツィータ用の「００１  Ｈｉｇｈ」、スコーカ用の「００１  Ｍｉｄ」、ウーファ用の「００１  Ｌｏｗ」とされている。このように、グループがアンプの役割別のグループとされていることが分かる。
【００３４】
さらに、グループ「００１  Ｈｉｇｈ」を展開した第３階層の２グループのグループ名が「００１：１／２」「００２：３／４」とされている。そして、グループ「００１：１／２」が展開されてグループ「００１：１／２」に「００１：００１  Ｔｘ６ｎ  ＣＨ１」「００１：００２  Ｔｘ６ｎ  ＣＨ２」の２チャンネルが属していることが表示されている。すなわち、「００１：１／２」「００２：３／４」はそれぞれ２チャンネルを有するグループ名であり、アンプ「００１：１／２」のチャンネル「００１：００１  Ｔｘ６ｎ  ＣＨ１」がＨｉｇｈ用スピーカ（ツィータ）に接続されていると共に、チャンネル「００１：００２  Ｔｘ６ｎ  ＣＨ２」もＨｉｇｈ用スピーカ（ツィータ）に接続されていることが分かる。なお、「００１：００１  Ｔｘ６ｎ  ＣＨ１」における先頭の「００１」が当該アンプのデバイスＩＤであり、「００１  Ｔｘ６ｎ」がデバイス名であり、「ＣＨ１」がチャンネルナンバである。
【００３５】
このように、フィードストラクチャツリー表示では、スピーカに対応するチャンネル毎のツリー表示が行われる。フィードストラクチャツリー表示ではスピーカに対応するチャンネルでアンプを表示することができることから、上位の階層のグループから下位の階層のグループをたどっていくことにより、容易に目的とする監視対象のアンプを探し出すことができる。探し出したアンプを図１４に示すように選択（白抜きで表示）すると選択された「００１：００１  Ｔｘ６ｎ  ＣＨ１」のチャンネルの状態表示が状態表示部４３に表示されるようになる。状態表示部４３に表示される項目としては、選択したアンプのチャンネルのパワースイッチ、入力レベルおよび出力レベル、ヒートシンクの温度等とされる。これらの項目をモニタリングすることによりアンプのチャンネル毎の動作状態を確認することができる。また、図１４に示すフィードストラクチャツリー表示において、「□」の中に「+」が記入されている記号の上でクリックすると、その下の階層に展開されてツリー表示されるようになる。
なお、図９に示すラックツリー表示および図１４に示すフィードストラクチャツリー表示では、各階層のグループのグループ名に前置して二重とされた矩形のアイコンが表示されているが、このアイコンの表示色を階層毎に異ならせてそのグループがどの階層に属しているかを容易に把握できるようにしても良い。また、ラックツリー表示およびフィードストラクチャツリー表示では、ＡＣＤ５は表示されないため見やすい表示とすることができる。
【００３６】
上記したように、本発明にかかる遠隔監視装置であるＰＣ１においては、アンプの配置（ラック）を観点としたラックツリー表示と、アンプの役割を観点としたフィードストラクチャツリー表示とが用意されて、ユーザが選択したツリー表示が行われる。このため、利用目的に応じた最適なツリー表示を行うことができ、監視したいアンプを容易に表示されたツリーから見つけ出すことができるようになる。従って、監視したいアンプの選択を簡易に行うことができて、アンプの監視に手間がかからなくなる。この場合、アンプが積まれているラックを観点としたラックツリー表示によりアンプの配置を簡単に確認できるようになり、例えば問題の発生したアンプの配置を簡単に見つけ出すことができるようになる。また、フィードストラクチャツリー表示により、希望のスピーカが接続されているアンプおよびそのチャンネルを容易に見つけ出して監視することができるようになる。
【００３７】
次に、ＰＣ１が実行するデバイスツリー表示処理のフローチャートを図１５に示す。
デバイスツリー表示処理は、ＰＣ１の表示器１３に表示された監視用画面４０において「Ｄｅｖｉｃｅ」のタブ４１が選択された際に起動され、ステップＳ６０にてプロジェクトファイルからデバイスツリーの表示を行うデータが読み出される。すなわち、プロジェクトファイルにおけるデバイス情報の内の「新ＡＭＰ１（新アンプ６ａ）」「新ＡＭＰ２（新アンプ６ｂ）」のデバイス情報から「デバイスＩＤ」ないし「エリア名」の情報を取り出す。また、デバイス情報の内の「ＡＣＤ」のデバイス情報から「デバイスＩＤ」ないし「デバイス情報」の情報を取り出す。このデバイス情報は「旧ＡＭＰ１（旧アンプ７ａ）」と「旧ＡＭＰ２（旧アンプ７ｂ）」のデバイス情報とされ、「旧ＡＭＰ１（旧アンプ７ａ）」と「旧ＡＭＰ２（旧アンプ７ｂ）」のデバイス情報から「デバイスＩＤ」ないし「デバイス名」の情報を取り出す。このように、デバイスツリー表示処理ではデバイス情報からグループナンバは取り出さない。
【００３８】
次いで、ステップＳ６１にてデバイスツリーが作成される。このステップでは、ステップＳ６０において取り出された情報からエリアＩＤを参照して、同じエリアＩＤを有している同じエリアに属するアンプ群にまとめ、各エリア毎に属するアンプを並べることによりデバイスツリーが作成される。そして、ステップＳ６２にて表示器１３に作成されたデバイスツリーが表示されてデバイスツリー表示処理は終了する。デバイスツリーを表示する際には、取り出した「エリア名」および「デバイス名」が表示される。
【００３９】
次に、デバイスツリー表示処理が行われることにより表示器１３に表示されたデバイスツリーの表示例を図１６に示す。
図１６に示す監視用画面４０において、ツリータイプとして「Ｄｅｖｉｃｅ」のタブ４１が選択されて上述したデバイスツリー表示処理が実行され、ツリー表示部４２にデバイスツリーが表示されている。ツリー表示部４２には、エリア名「Ａｒｅａ−１」のエリアに属するアンプと、エリア名「Ａｒｅａ−２」のエリアに属するアンプとがツリー表示されている。このツリー表示では、「Ａｒｅａ−１」のエリアにアンプ「Ｔｘ６ｎ」「Ｔｘ４ｎ」「Ｔｘ６ｎ」の３台のアンプが属していると共に、「ＡＣＤ１」が属していることが表示されている。この「ＡＣＤ１」には、アンプ「Ｔｘ６ｎ」「Ｔｘ６ｎ」の２台のアンプが属していることが表示されている。また、「Ａｒｅａ−２」のエリアにアンプ「Ｔｘ６ｎ」「Ｔｘ６ｎ」「Ｔｘ６ｎ」の３台のアンプが属していることが表示されている。このように、デバイスツリー表示ではＡＣＤ５が表示されると共にアンプがエリア別に表示される。デバイスツリー表示においてアンプのいずれかを図１６に示すように選択（白抜きで表示）すると選択された「Ａｒｅａ−１」のエリアに属するアンプ「Ｔｘ６ｎ」の状態表示が状態表示部４３に表示されるようになる。状態表示部４３に表示される項目としては、選択したアンプのチャンネルのパワースイッチ、入力レベルおよび出力レベル、ヒートシンクの温度等とされる。これらの項目をモニタリングすることによりアンプのチャンネル毎の動作状態を確認することができる。
【００４０】
次に、ＰＣ１においてプロジェクトファイルを作成するプロジェクトファイルの作成処理のフローチャートを図１７に示す。プロジェクトファイルを作成する際には、ＰＣ１はネットワーク４に接続されている各デバイスにデバイス情報を要求し、各デバイスからデバイス情報を取得してプロジェクトファイルを作成するようにしている。この処理を行う際に新アンプ６ａおよび新アンプ６ｂで実行されるデバイス情報の送信処理のフローチャートを図１８に示し、ＡＣＤ５で実行されるデバイス情報の送信処理のフローチャートを図１９に示す。
【００４１】
まず、図１８に示すデバイス情報の送信処理を説明するが、このデバイス情報の送信処理は、ＰＣ１から新アンプ６ａおよび新アンプ６ｂにデバイス情報を要求された際に要求された新アンプ６ａおよび新アンプ６ｂで起動される。起動されると、ステップＳ８０にて自機に記録されている図６に示すデバイス情報の全てをＰＣ１に送信し、デバイス情報の送信処理は終了する。
また、図１９に示すデバイス情報の送信処理は、ＰＣ１からＡＣＤ５にデバイス情報を要求された際にＡＣＤ５で起動される。起動されると、ステップＳ９０にて旧アンプ７ａおよび旧アンプ７ｂから記録されているデバイス情報を取得する。次いで、ステップＳ９１にて取得した旧アンプ７ａおよび旧アンプ７ｂのデバイス情報を含む図７に示すデバイス情報の全てをＰＣ１に送信し、デバイス情報の送信処理は終了する。
【００４２】
図１７に示すプロジェクトファイルの作成処理は、ＰＣ１において遠隔監視用プログラムが起動された際に起動され、ステップＳ７０にてネットワーク４に接続されている各デバイスに状態情報の送信を要求する。これにより、図１８あるいは図１９に示す上述したデバイス情報の送信処理が実行されて、ＰＣ１はネットワーク４に接続されている各デバイスのデバイス情報を受信する。次いで、受信したデバイス情報に基づいて図５に示すプロジェクトファイルが作成されて、プロジェクトファイルの作成処理は終了する。
【産業上の利用可能性】
【００４３】
以上説明した本発明において、ＡＣＤは１台設けるようにしたが複数台のＡＣＤを設けるようにしても良い。この場合、ＡＣＤは例えば８台までの旧アンプを接続できる。また、ネットワークには制御情報を流すようにしたが、オーディオ信号と制御情報をネットワークに流すようにしても良い。さらに、ネットワークはイーサネットとしたがＬＡＮにより構築するようにしても良い。
【図面の簡単な説明】
【００４４】
【図１】本発明の実施例にかかる遠隔監視装置を備えるオーディオシステムの構成を示すブロック図である。
【図２】本発明にかかる遠隔監視装置であるＰＣの構成を示すブロック図である。
【図３】本発明にかかるオーディオシステムにおける新アンプの構成を示すブロック図である。
【図４】本発明にかかる遠隔監視装置におけるＡＣＤの構成を示すブロック図である。
【図５】本発明にかかるオーディオシステムにおけるプロジェクトファイルのデータ構造を示す図である。
【図６】本発明にかかるオーディオシステムにおける新アンプのデバイス情報のデータ構造を示す図である。
【図７】本発明にかかるオーディオシステムにおけるＡＣＤのデバイス情報のデータ構造を示す図である。
【図８】本発明にかかる遠隔監視装置で実行されるラックツリーの表示処理のフローチャートである。
【図９】本発明にかかる遠隔監視装置に表示されるラックツリーの表示例を示す図である。
【図１０】本発明にかかる遠隔監視装置で実行される状態情報の表示処理のフローチャートである。
【図１１】本発明にかかるオーディオシステムにおける新アンプで実行される状態情報の送信処理のフローチャートである。
【図１２】本発明にかかるオーディオシステムにおけるＡＣＤで実行される状態情報の送信処理のフローチャートである。
【図１３】本発明にかかる遠隔監視装置で実行されるフィードストラクチャツリーの表示処理のフローチャートである。
【図１４】本発明にかかる遠隔監視装置に表示されるフィードストラクチャツリーの表示例を示す図である。
【図１５】本発明にかかる遠隔監視装置で実行されるデバイスツリーの表示処理のフローチャートである。
【図１６】本発明にかかる遠隔監視装置に表示されるデバイスツリーの表示例を示す図である。
【図１７】本発明にかかる遠隔監視装置で実行されるプロジェクトファイルの作成処理のフローチャートである。
【図１８】本発明にかかるオーディオシステムにおける新アンプで実行されるデバイス情報の送信処理のフローチャートである。
【図１９】本発明にかかるオーディオシステムにおけるＡＣＤで実行されるデバイス情報の送信処理のフローチャートである。
【符号の説明】
【００４５】
１Ａ  オーディオシステム、１  ＰＣ、２  ＭＩＸ、３ａ〜３ｎ  マイク、４  ネットワーク、５  ＡＣＤ、６ａ  新アンプ、６ｂ  新アンプ、７  旧アンプ、７ａ  旧アンプ、７ｂ  旧アンプ、８ａ〜８ｈ  スピーカ、１０  ＣＰＵ、１０ａ  バス、１１  ＲＯＭ、１２  ＲＡＭ、１３  表示器、１４  表示制御回路、１５  操作子、１６  操作検出回路、１７  ネットワーク通信Ｉ／Ｆ、２０  ＣＰＵ、２０ａ  バス、２１  ＲＯＭ、２２  ＲＡＭ、２３  表示器、２４  表示制御回路、２５  操作子、２６  操作検出回路、２７  ネットワーク通信Ｉ／Ｆ、２８ａ  オーディオ入力Ｉ／Ｆ、２９  ＤＳＰ、３０  ＣＰＵ、３０ａ  バス、３１  ＲＯＭ、３２  ＲＡＭ、３３  表示器、３４  表示制御回路、３５  操作子、３６  操作検出回路、３７  ネットワーク通信Ｉ／Ｆ、３８  デバイス通信Ｉ／Ｆ、４０  監視用画面、４１  タブ、４２  ツリー表示部、４３  状態表示部
【図１】
0004379501.tif 000002
【図２】
0004379501.tif 000003
【図３】
0004379501.tif 000004
【図４】
0004379501.tif 000005
【図５】
0004379501.tif 000006
【図６】
0004379501.tif 000007
【図７】
0004379501.tif 000008
【図８】
0004379501.tif 000009
【図９】
0004379501.tif 000010
【図１０】
0004379501.tif 000011
【図１１】
0004379501.tif 000012
【図１２】
0004379501.tif 000013
【図１３】
0004379501.tif 000014
【図１４】
0004379501.tif 000015
【図１５】
0004379501.tif 000016
【図１６】
0004379501.tif 000017
【図１７】
0004379501.tif 000018
【図１８】
0004379501.tif 000019
【図１９】
0004379501.tif 000020